(57)【要約】【課題】安価であり、かつ作業の効率がよい、セパレータと鉄筋とを接続するためのジョイント金具を提供する。【解決手段】ジョイント金具１００は、その一方において直接に、または調節金物２００を介してセパレータと接続可能であり、その他方に雄螺子部が形成されている第１の部材１２１と、鉄筋３０と係合した状態において、第１の部材１２１を挿通させることができる穴１０３ａ，１０３ｂを有する第２の部材１０１とを備える。第２の部材１０１が鉄筋３０と係合した状態において、穴１０３ａ，１０３ｂに第１の部材１２１を挿通させ、雄螺子部にナット１２３を螺合させることで、第１の部材１２１を鉄筋３０に固定させる。【選択図】図２
2008214911.tif 000002
【特許請求の範囲】
【請求項１】
その一方において直接に、または調節金物を介してセパレータと接続可能であり、その他方に雄螺子部が形成されている第１の部材と、
鉄筋または丸棒と係合した状態において、前記第１の部材を挿通させることができる穴を有する第２の部材とを備え、
前記第２の部材が鉄筋または丸棒と係合した状態において、前記穴に前記第１の部材を挿通させ、前記雄螺子部に雌螺子部が形成された部材を螺合させることで、前記第１の部材を前記鉄筋または丸棒に固定させる、セパレータと鉄筋または丸棒とを接続するためのジョイント金具。
【請求項２】
前記第１の部材および第２の部材の少なくとも一方は、鉄筋または丸棒の外周の少なくとも一部を囲むように曲げられている、請求項１に記載のセパレータと鉄筋または丸棒とを接続するためのジョイント金具。
【請求項３】
前記第１の部材は、前記鉄筋または丸棒と当接する部分においてテーパー形状を有する、請求項１または２に記載のセパレータと鉄筋または丸棒とを接続するためのジョイント金具。
【請求項４】
前記第１の部材が鉄筋または丸棒に接続されたときに、前記第１の部材の前記セパレータと接続する側が伸びる方向が、前記鉄筋または丸棒の中心を通るように構成されている、請求項１から３のいずれかに記載のセパレータと鉄筋または丸棒とを接続するためのジョイント金具。
【発明の詳細な説明】
【技術分野】
【０００１】
この発明は、セパレータと鉄筋または丸棒とを接続するためのジョイント金具に関し、特にハーフＰＣ板の上弦材（トップ筋）を構成する鉄筋などに、直接または調節金物を介してセパレータを接続するためのジョイント金具に関する。
【背景技術】
【０００２】
斜材（ラチス筋）の一部と下弦材（下端筋）とが埋め込まれたハーフＰＣ板の上弦材（トップ筋）に、直接または調節金物を介してセパレータを接続するためのジョイント金具が存在する。セパレータのハーフＰＣ板が接続される側とは逆側には、コンクリート打設用型枠が固定される。
【発明の開示】
【発明が解決しようとする課題】
【０００３】
従来のジョイント金具は高価であり、建築コストを上昇させる原因となっていた。また、安価に製作しようとすると、取付け作業が煩雑になるなどの問題が生じていた。
【０００４】
この発明は上記問題点を解決するためになされたものであり、安価であり、かつ作業の効率がよい、セパレータと鉄筋または丸棒とを接続するためのジョイント金具を提供することを目的としている。
【課題を解決するための手段】
【０００５】
上記目的を達成するためこの発明のある局面に従うと、セパレータと鉄筋または丸棒とを接続するためのジョイント金具は、その一方において直接に、または調節金物を介してセパレータと接続可能であり、その他方に雄螺子部が形成されている第１の部材と、鉄筋または丸棒と係合した状態において、前記第１の部材を挿通させることができる穴を有する第２の部材とを備え、前記第２の部材が鉄筋または丸棒と係合した状態において、前記穴に前記第１の部材を挿通させ、前記雄螺子部に雌螺子部が形成された部材を螺合させることで、前記第１の部材を前記鉄筋または丸棒に固定させる。
【０００６】
好ましくは前記第１の部材および第２の部材の少なくとも一方は、鉄筋または丸棒の外周の少なくとも一部を囲むように曲げられている。
【０００７】
好ましくは前記第１の部材は、前記鉄筋または丸棒と当接する部分においてテーパー形状を有する。
【０００８】
好ましくはセパレータと鉄筋または丸棒とを接続するためのジョイント金具は、前記第１の部材が鉄筋または丸棒に接続されたときに、前記第１の部材の前記セパレータと接続する側が伸びる方向が、前記鉄筋または丸棒の中心を通るように構成されている。
【発明を実施するための最良の形態】
【０００９】
図１は、本発明の第１の実施の形態におけるセパレータと鉄筋または丸棒とを接続するためのジョイント金具の使用例を示す図である。
【００１０】
図を参照して、ジョイント金具１００は、斜材２０ａ〜２０ｄの一部と下弦材とが埋め込まれたハーフＰＣ板１０の上弦材３０に係合する。また、ジョイント金具１００は、セパレータ３００の位置を調節するための調節金物２００を介して、セパレータ３００に接続される。セパレータ３００の調節金物２００が接続される側とは逆側には、固定金具４００によりコンクリート打設用型枠４０が固定される。
【００１１】
図２は、上弦材３０に固定されたジョイント金具１００の斜視図である。
図に示されるように、ジョイント金具１００は、曲げられた棒形状を有し、両端に雄螺子部が形成された第１の部材１２１と、Ｕ字型の断面を有し、上弦材３０の外周に係合することができる第２の部材１０１と、雌螺子部が形成された部材の一例であるナット１２３とから構成される。
【００１２】
図においては、第１の部材１２１の一方端には、雌螺子部を備えた調節金物２００が雄螺子部に係合している。また、第２の部材１０１の両端部には、上弦材３０と係合した時に第１の部材１２１を挿通させることができる穴１０３ａ，１０３ｂが形成されている。穴１０３ａ，１０３ｂに第１の部材１２１の、調節金物２００と係合しない方の端部を挿入し、その端部の雄螺子部にナット１２３を螺合させることで、上弦材３０にジョイント金具１００と調節金物２００とを固定させることができる。
【００１３】
図３は、図２の構成を上弦材３０の伸びる方向から見た状態を示す図である。
図に示されるように、第１の部材１２１は、曲げられた棒形状を有しており、図３の角度θは、１３５°とされている。これにより、一点鎖線の矢印で示される方向に引っ張る力が加えられたときに、その力を、上弦材３０の中心部（Ｘで示される点）で支えることができる。
【００１４】
図４は、図３の構成の変形例を示す図である。
本変形例が図３の構成と異なる点は、第１の部材１２１ａの太さが場所によって異なっている（テーパー形状を有する）点である。これにより上弦材３０と第１の部材１２１ａとを接触させることができ、より固定しやすいという効果がある。
【００１５】
図５は、図４の第１の部材１２１ａの形状を示す図である。
第１の部材１２１ａは、上弦材３０と接する部分においてテーパー形状を有する。また、Ａ−Ａ断面の形状は、円でもよいし、楕円でもよいし、多角形（四角形など）でもよい。楕円や多角形としたときには、第２の部材１０１ａの穴１０３ａ，１０３ｂも、その形状とすることが望ましい。このように、第１の部材の断面形状および第２の部材の穴の形状を楕円や多角形にすることにより、上弦材と第１の部材との接触面積を広くすることができる。また、第１の部材が穴の中で回転することを防ぐことができる。
【００１６】
図６は、第１の部材のさらなる変形例を示す図である。
これまで説明した構成では、第１の部材の両端部に雄螺子部を形成し、一方に調節部材を接続し、それを介してセパレータと第１の部材とを繋ぐこととしていた。しかしながら、図６に示されるように、第１の部材の一方のみに雄螺子部１０７を形成し、他方には雌螺子部１０９を形成することとしてもよい。この構成によると、調節金物を用いなくてもセパレータを雌螺子部１０９に接続し、位置を調節できるという効果がある。
【００１７】
図７は、ジョイント金具１００の他の用途を示す図である。
ここでは、頭付きスタッド５０の頭の部分にジョイント金具１００を係合させる例について説明している。第２の部材は頭付きスタッド５０の丸棒部分に係合し、頭の部分に引っ掛かる。これにより、第１の部材１２１および調節金物２００が頭付きスタッド５０に係合する。なお図７の例では、頭付きスタッドの突出方向と調節金物２００の伸びる方向とが平行となるように、図３におけるθを９０°程度とすることが望ましい。
【００１８】
図８は、第２の実施の形態におけるジョイント金具の構成を説明するための図である。
図に示されるように、ジョイント金具５００は、曲げられた棒形状を有し、両端に雄螺子部が形成された第１の部材５２１と、曲げられた板の形状を有し、上弦材３０の外周に係合することができる第２の部材５０１と、雌螺子部が形成された部材の一例であるナット５２３とから構成される。
【００１９】
図においては、第１の部材５２１の一方端には、雌螺子部を備えた調節金物２００が雄螺子部５０７に係合している。また、第２の部材５０１の端部には、上弦材３０と係合した時に第１の部材５２１を挿通させることができる穴５０３ａ，５０３ｂが形成されている。穴５０３ａ，５０３ｂに第１の部材５２１の、調節金物２００と係合しない方の端部を挿入し、その端部の雄螺子部５０５にナット５２３を螺合させることで、上弦材３０にジョイント金具５００と調節金物２００とを固定させることができる。
【００２０】
図に示されるように、第１の部材５２１は曲げられた形状を有することで、一点鎖線の矢印で示される方向に引っ張る力が加えられたときに、その力を、上弦材３０の中心部（Ｘで示される点）で支えることができる。すなわち、第１の部材が上弦材に接続されたときに、第１の部材のセパレータと接続する側が伸びる方向は、上弦材の中心を通るように構成されている。
【００２１】
図９は、第２の部材５０１の平面図であり、図１０はその変形例を示す図である。
穴５０３ａ，５０３ｂは、図９に示されるように第２の部材５０１の端部においてそれぞれが独立した穴として形成されてもよいし、図１０のように少なくとも一方の穴５０３ｄが第２の部材５０１ａの外周につながっていてもよい。
【００２２】
図１０のような形状とすることで、穴５０３ａに第１の部材５２１を挿通させた状態で、上弦材３０を第１の部材５２１にはめ込み、その後、第２の部材５０１ａを穴５０３ａを軸として回転させ、穴５０３ｄに第１の部材５２１をはめ込むことができる。これにより、作業の自由度を高めることができる。
【００２３】
また、穴５０３ａの形状も穴５０３ｄの形状と同様にすることで、上弦材３０を第１の部材５２１にはめ込んだ後で、第２の部材を第１の部材にはめ込むことができるという効果がある。
【００２４】
さらに、２つの穴は独立して存在するのではなく、図１１に示されるように、２つの穴を接続し、１つの穴としてもよい。すなわち、第２の部材５０１ｂを鎖を構成する１つの環のような形状の部材（鉄でできた環）としてもよい。この場合も、図９と同様の効果を奏することができる。
【００２５】
図１２は、第３の実施の形態におけるジョイント金具の構成を説明するための図である。
【００２６】
このジョイント金具は、図８のジョイント金具の第１の部材５２１および第２の部材５０１を変形させ、第１の部材５２１ａおよび第２の部材５０１ａとしたものである。
【００２７】
図に示されるように、第１の部材５２１ａが上弦材３０に接続されたときに、第１の部材のセパレータと接続する側が伸びる方向は、上弦材３０の中心を通るように構成されている。また、第１の部材５２１ａが上弦材３０に係合する部分は「Ｕ」字形状となっている。第１の部材のセパレータが接続する側が伸びる方向とＵ字部分との接続角度は、１４５°程度とされている。
【００２８】
また、第２の部材５０１ａは、雄螺子部５０５ａにナットが係合しやすくするために、および第２の部材５０１ａの一部が上弦材３０に接することで上弦材３０を押す力を加えるために、雄螺子部５０５ａと係合する側が上弦材３０側に曲げられた形状を有している。
【００２９】
また、第１の部材５２１ａには、第２の部材５０１ａの動きを制限するためのストッパ５５１を設けることが望ましい。ストッパ５５１は、突起部であり、第２の部材５０１ａがその部分より先の位置に移動することを防止する。これにより、第２の部材５０１ａの位置を制限し、施工を容易にすることができる。
【００３０】
図１３は、第４の実施の形態におけるジョイント金具の構成を説明するための図である。
【００３１】
このジョイント金具は、図３のジョイント金具の第１の部材１２１を太くし、穴１０３ａおよび１０３ｂの形状を変えたものである。また、ナット１２３と係合する雄螺子部分は比較的長く構成されている。これにより、第２の部材１０１と上弦材３０とが係合した状態において、ナット１２３を締めることにより、第１の部材１２１および第２の部材１０１が上弦材３０を締め付け、かつ第１の部材１２１が上弦材３０側に寄って行き、上弦材３０を強固に固定することが可能となる。第１の部材１２１の上弦材３０側への移動を容易にするために、穴１０３ａは、第１の部材１２１の径よりも十分に大きめにすることが好ましい。
【００３２】
図１４は、穴１０３ａの形状の具体例を示す図である。
第１の部材１２１の穴１０３ａに対応する位置における断面を多角形とし、穴１０３ａを図１４に示されるような多角形とすることで、第１の部材１２１が穴１０３ａの中で回転することを防ぐことができる。
【００３３】
また、回転防止のためには、第１の部材１２１の穴１０３ａに対応する位置における断面を楕円形とし、穴１０３ａを図１５に示されるような楕円形としてもよいし、第１の部材１２１の穴１０３ａに対応する位置における断面に突起を設け、穴１０３ａに図１６に示されるような、突起に係合する係止部を設けるようにしてもよい。
【００３４】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３５】
【図１】本発明の第１の実施の形態におけるセパレータと鉄筋または丸棒とを接続するためのジョイント金具の使用例を示す図である。
【図２】上弦材３０に固定されたジョイント金具１００の斜視図である。
【図３】図２の構成を上弦材３０の伸びる方向から見た状態を示す図である。
【図４】図３の構成の変形例を示す図である。
【図５】図４の第１の部材１２１ａの形状を示す図である。
【図６】第１の部材のさらなる変形例を示す図である。
【図７】ジョイント金具１００の他の用途を示す図である。
【図８】第２の実施の形態におけるジョイント金具の構成を説明するための図である。
【図９】第２の部材５０１の平面図である。
【図１０】図９の部材の変形例を示す図である。
【図１１】図９の部材の変形例を示す図である。
【図１２】第３の実施の形態におけるジョイント金具の構成を説明するための図である。
【図１３】第４の実施の形態におけるジョイント金具の構成を説明するための図である。
【図１４】穴１０３ａの形状の具体例を示す図である。
【図１５】穴１０３ａの形状の具体例を示す図である。
【図１６】穴１０３ａの形状の具体例を示す図である。
【符号の説明】
【００３６】
１０  ハーフＰＣ板、２０ａ〜２０ｄ  斜材、３０  上弦材、４０  コンクリート打設用型枠、５０  頭付きスタッド、１００  ジョイント金具、１０１  第２の部材、１０３ａ，１０３ｂ  穴、１０７  雄螺子部、１０９  雌螺子部、１２１  第１の部材、１２３  ナット、２００  調節金物、３００  セパレータ、４００  固定金具、５００  ジョイント金具、５０１  第２の部材、５０３ａ，５０３ｂ  穴、５０５，５０７  雄螺子部、５２１  第１の部材、５２３  ナット。
【図１】
2008214911.tif 000003
【図２】
2008214911.tif 000004
【図３】
2008214911.tif 000005
【図４】
2008214911.tif 000006
【図５】
2008214911.tif 000007
【図６】
2008214911.tif 000008
【図７】
2008214911.tif 000009
【図８】
2008214911.tif 000010
【図９】
2008214911.tif 000011
【図１０】
2008214911.tif 000012
【図１１】
2008214911.tif 000013
【図１２】
2008214911.tif 000014
【図１３】
2008214911.tif 000015
【図１４】
2008214911.tif 000016
【図１５】
2008214911.tif 000017
【図１６】
2008214911.tif 000018